(57)【要約】【課題】ＳＲＳ送信電力を制御する際にＳＲＳ受信品質を調整することを図る。【解決手段】無線端末２００が基地局１００へ送信するＳＲＳの送信電力を制御する情報を生成する参照信号送信電力制御情報生成部１に、ＳＲＳのＳＩＮＲ推定値を算出するＳＩＮＲ推定値算出部４と、ＳＲＳのＳＩＮＲ目標値に対するＳＩＮＲ推定値の差を補正するＳＲＳ送信電力オフセット値を算出するＳＲＳ送信電力オフセット値算出部５と、を備えたことを特徴とする。【選択図】図１
2011029770.tif 000002
【特許請求の範囲】
【請求項１】
無線端末が基地局へ送信する参照信号の送信電力を制御する情報を生成する参照信号送信電力制御情報生成装置であって、
参照信号の受信品質推定値を算出する受信品質推定値算出手段と、
参照信号の受信品質目標値に対する受信品質推定値の差を補正する参照信号送信電力オフセット値を算出する参照信号送信電力オフセット値算出手段と、
を備えたことを特徴とする参照信号送信電力制御情報生成装置。
【請求項２】
前記参照信号送信電力オフセット値を用いて、前記無線端末の最大送信可能電力の範囲内に収まる参照信号帯域幅を算出する参照信号帯域幅算出手段を備えたことを特徴とする請求項１に記載の参照信号送信電力制御情報生成装置。
【請求項３】
前記受信品質推定値算出手段は、前回の参照信号送信時における参照信号の受信品質推定値を算出し、
前記参照信号送信電力オフセット値算出手段は、参照信号の受信品質目標値に対する前回の参照信号送信時における参照信号の受信品質推定値の差を、前回の参照信号送信時における参照信号送信電力オフセット値に加える、
ことを特徴とする請求項１又は請求項２に記載の参照信号送信電力制御情報生成装置。
【請求項４】
参照信号の送信電力は、無線端末が基地局へ送信するデータチャネル信号の送信電力調整値によって変化するように定められてあり、
前記参照信号送信電力オフセット値算出手段は、前記送信電力調整値を参照信号の送信電力制御間隔において平均化し、この平均値を打ち消す参照信号送信電力オフセット値を算出する、
ことを特徴とする請求項１から３のいずれか１項に記載の参照信号送信電力制御情報生成装置。
【請求項５】
無線端末が基地局へ送信する参照信号の送信電力を制御する参照信号送信電力制御方法であって、
前記基地局が、前記無線端末からの参照信号の受信品質推定値を算出するステップと、
前記基地局が、参照信号の受信品質目標値に対する前記受信品質推定値の差を補正する参照信号送信電力オフセット値を算出するステップと、
前記基地局が、前記参照信号送信電力オフセット値、又は、前記参照信号送信電力オフセット値に基づいた参照信号送信電力値を含む制御情報を前記無線端末へ送信するステップと、
前記無線端末が、前記基地局から受信した制御情報に基づいて参照信号の送信電力を調整するステップと、
を含むことを特徴とする参照信号送信電力制御方法。
【請求項６】
前記基地局が、前記参照信号送信電力オフセット値を用いて、前記無線端末の最大送信可能電力の範囲内に収まる参照信号帯域幅を算出するステップと、
前記基地局が、前記参照信号帯域幅を含む制御情報を前記無線端末へ送信するステップと、
をさらに含むことを特徴とする請求項５に記載の参照信号送信電力制御方法。
【請求項７】
無線端末が基地局へ送信する参照信号の送信電力を制御する情報を生成する参照信号送信電力制御情報生成処理を行うためのコンピュータプログラムであって、
参照信号の受信品質推定値を算出するステップと、
参照信号の受信品質目標値に対する受信品質推定値の差を補正する参照信号送信電力オフセット値を算出するステップと、
をコンピュータに実行させるためのコンピュータプログラム。
【発明の詳細な説明】
【技術分野】
【０００１】
本発明は、参照信号送信電力制御情報生成装置、参照信号送信電力制御方法及びコンピュータプログラムに関する。
【背景技術】
【０００２】
近年、各標準化団体（例えば、３ＧＰＰ（3rd Generation Partnership Project）、３ＧＰＰ２（3rd Generation Partnership Project 2）、ＩＥＥＥ８０２．１６標準化団体など）で新しい無線通信システムの標準規格が検討されている。例えば、第３世代（３Ｇ）セルラシステムの後継システムとして、ＬＴＥ（Long Term Evolution：正式名称は「Evolved Universal Terrestrial Radio Access（Ｅ−ＵＴＲＡ）」である）やＵＭＢ（Ultra Mobile Broadband）といった、次世代のセルラシステム（３．９Ｇセルラシステムとも呼ばれる）が検討されている。さらには、３．９Ｇセルラシステムの進化系である、ＩＭＴ−Ａｄｖａｎｃｅｄシステム（４Ｇセルラシステムとも呼ばれる）が検討されている。
【０００３】
それらの検討されている無線通信システムの中には、直交周波数分割多元接続（Orthogonal Frequency Division Multiple Access：ＯＦＤＭＡ）方式を採用するものがある。例えば、ＬＴＥ、ＵＭＢ、ＷｉＭＡＸ、さらには現在、４Ｇセルラシステム向けに検討されている、ＬＴＥ−ＡｄｖａｎｃｅｄやＩＥＥＥ８０２．１６ｍなどである。
【０００４】
ＯＦＤＭＡ方式を使用する無線通信システム（以下、ＯＦＤＭＡシステムと称する）では、利用可能な周波数帯域（以下、システム帯域と称する）内の複数のサブキャリアを無線端末に割り当てることができる。また、その割当内容は時間とともに変更することができる。したがって、一般的に、ＯＦＤＭＡシステムでは、周波数成分と時間成分から成る二次元的な無線リソースを用いて、柔軟に、無線リソースの割当を行うことができる。
【０００５】
ただし、周波数選択性フェージング環境下では、無線端末によって品質の良い周波数リソースが異なるため、周波数スケジューリングによって無線端末ごとに品質の良い周波数リソースを割り当てる。この周波数スケジューリングによって、無線端末のスループットが改善し、この結果として、ＯＦＤＭＡシステムの全体的なスループットの向上が期待できる。
【０００６】
周波数スケジューリングでは、システム帯域内の各周波数リソースの品質に基づいて各無線端末に割り当てる周波数リソースを決定する。一般的に、周波数リソースの品質を取得するためには、周波数リソース内に含まれる参照信号を用いる。下りリンク（基地局から端末方向のリンク）では、基地局がシステム帯域内の全ての周波数リソースで参照信号を送信することができるので、無線端末が該全ての周波数リソースに含まれる参照信号を復調することによって、システム帯域内の全ての周波数リソースごとの品質を取得することができる。
【０００７】
一方、上りリンク（端末から基地局方向のリンク）に関しては、例えば、ＬＴＥに準拠したＯＦＤＭＡシステム（以下、ＬＴＥシステムと称する）では、非特許文献１で規定されるサウンディング・リファレンス信号（Sounding Reference Signal：ＳＲＳ）と呼ばれる参照信号を利用する。このＳＲＳは、システム帯域内の全帯域にわたって送信することが可能であるため、上りリンクの周波数特性（つまり、周波数リソースごとの品質）を取得することが可能となる。
【０００８】
又、非特許文献２には、（１）式に示すＳＲＳ送信電力制御式が定義されている。ＬＴＥシステムでは、このＳＲＳ送信電力制御式を用いて、無線端末が送信するＳＲＳの送信電力を制御する。
Ｐ＿ＳＲＳ（ｉ）＝ｍｉｎ｛Ｐ＿ＭＡＸ，Ｐ＿ＳＲＳ＿ＯＦＦＳＥＴ＋１０ｌｏｇ１０（Ｍ＿ＳＲＳ）＋Ｐ＿Ｏ＿ＰＵＳＣＨ（ｊ）＋α・ＰＬ＋ｆ（ｉ）｝      ・・・（１）
但し、ｍｉｎ｛Ａ，Ｂ｝はＡとＢのうち小さい方の値である。Ｐ＿ＳＲＳ（ｉ）はｉ番サブフレームで送信するＳＲＳの送信電力値である。Ｐ＿ＭＡＸは無線端末の最大送信可能電力値である。Ｐ＿ＳＲＳ＿ＯＦＦＳＥＴは、ＳＲＳ送信電力のオフセット値であり、無線端末毎に設定される。Ｍ＿ＳＲＳは、ＳＲＳの周波数帯域幅（ＳＲＳ帯域幅、単位はリソースブロック（ＲＢ）数）である。Ｐ＿Ｏ＿ＰＵＳＣＨ（ｊ）は、スケジューリンググラントの種別ｊにおける、上りリンクの物理層のデータチャネル（Physical Uplink Shared Channel：ＰＵＳＣＨ）の送信電力のノミナル値であり、無線端末毎に設定される。ＰＬは、無線端末と基地局（Serving Sector）との間のパスロス値である。αは、パスロス値の補正係数である。ｆ（ｉ）は、ｉ番サブフレームにおけるＰＵＳＣＨの送信電力調整値である。なお、上記（１）式で使用される、パスロス値の補正係数（α）やＳＲＳ送信電力オフセット値（Ｐ＿ＳＲＳ＿ＯＦＦＳＥＴ）等のパラメータは、任意に設定可能である。
【０００９】
上記（１）式から明らかなように、ＳＲＳ送信電力値（Ｐ＿ＳＲＳ（ｉ））は、ＰＵＳＣＨ送信電力調整値（ｆ（ｉ））に追随するように定められている。これは、ＳＲＳ送信電力の制御がＰＵＳＣＨ送信電力の制御と連動することを意味する。非特許文献３に記載の従来のＳＲＳ送信電力制御方法では、ＳＲＳ送信電力制御とＰＵＳＣＨ送信電力制御を独立に実施するため、サブフレーム毎にＰＵＳＣＨ送信電力調整値（ｆ（ｉ））を打ち消す操作を行っている。また、非特許文献３に記載の従来方法では、ＳＲＳ帯域幅（Ｍ＿ＳＲＳ）に関して、基地局に近い無線端末と遠い無線端末の二種類に無線端末を分類し、基地局に近い無線端末に対してはシステム帯域幅（非特許文献３の例では、４８ＲＢ）を固定的に設定し、一方、基地局から遠い無線端末に対してはＳＲＳ帯域幅の最小値（非特許文献３の例では、４ＲＢ）を固定的に設定している。
【先行技術文献】
【非特許文献】
【００１０】
【非特許文献１】3GPP TS 36.211，“Evolved Universal Terrestrial Radio Access (E-UTRA); Physical Channels and Modulation (Release 8)”
【非特許文献２】3GPP TS 36.213，“Evolved Universal Terrestrial Radio Access (E-UTRA)； Physical layer procedures (Release 8)”
【非特許文献３】沖野健太，草野吉雅、“E-UTRAアップリンクにおけるチャネル推定誤差を考慮したSRSパラメータ設定の検討”、信学技報、vol. 108、no. 445、RCS2008-245、pp. 197-202、2009年3月
【発明の概要】
【発明が解決しようとする課題】
【００１１】
しかし、上述した従来のＳＲＳ送信電力制御方法では、ＳＲＳの受信品質について考慮されていない。このため、ＳＲＳの受信品質が、隣接セルに干渉を与えるほどに過剰品質になったり、或いは、周波数スケジューリングで要求される品質に不足したりする恐れがある。特に従来方法では、無線端末が送信するＳＲＳ帯域幅を固定的に設定しているので、その恐れが大きい。
【００１２】
本発明は、このような事情を考慮してなされたもので、その目的は、ＳＲＳ送信電力を制御する際に、所望のＳＲＳ受信品質に調整することのできる参照信号送信電力制御情報生成装置、参照信号送信電力制御方法及びコンピュータプログラムを提供することにある。
【課題を解決するための手段】
【００１３】
上記の課題を解決するために、本発明に係る参照信号送信電力制御情報生成装置は、無線端末が基地局へ送信する参照信号の送信電力を制御する情報を生成する参照信号送信電力制御情報生成装置であって、参照信号の受信品質推定値を算出する受信品質推定値算出手段と、参照信号の受信品質目標値に対する受信品質推定値の差を補正する参照信号送信電力オフセット値を算出する参照信号送信電力オフセット値算出手段と、を備えたことを特徴とする。
【００１４】
本発明に係る参照信号送信電力制御情報生成装置においては、前記参照信号送信電力オフセット値を用いて、前記無線端末の最大送信可能電力の範囲内に収まる参照信号帯域幅を算出する参照信号帯域幅算出手段を備えたことを特徴とする。
【００１５】
本発明に係る参照信号送信電力制御情報生成装置において、前記受信品質推定値算出手段は、前回の参照信号送信時における参照信号の受信品質推定値を算出し、前記参照信号送信電力オフセット値算出手段は、参照信号の受信品質目標値に対する前回の参照信号送信時における参照信号の受信品質推定値の差を、前回の参照信号送信時における参照信号送信電力オフセット値に加えることを特徴とする。
【００１６】
本発明に係る参照信号送信電力制御情報生成装置において、参照信号の送信電力は、無線端末が基地局へ送信するデータチャネル信号の送信電力調整値によって変化するように定められてあり、前記参照信号送信電力オフセット値算出手段は、前記送信電力調整値を参照信号の送信電力制御間隔において平均化し、この平均値を打ち消す参照信号送信電力オフセット値を算出することを特徴とする。
【００１７】
本発明に係る参照信号送信電力制御方法は、無線端末が基地局へ送信する参照信号の送信電力を制御する参照信号送信電力制御方法であって、前記基地局が、前記無線端末からの参照信号の受信品質推定値を算出するステップと、前記基地局が、参照信号の受信品質目標値に対する前記受信品質推定値の差を補正する参照信号送信電力オフセット値を算出するステップと、前記基地局が、前記参照信号送信電力オフセット値、又は、前記参照信号送信電力オフセット値に基づいた参照信号送信電力値を含む制御情報を前記無線端末へ送信するステップと、前記無線端末が、前記基地局から受信した制御情報に基づいて参照信号の送信電力を調整するステップと、を含むことを特徴とする。
【００１８】
本発明に係る参照信号送信電力制御方法においては、前記基地局が、前記参照信号送信電力オフセット値を用いて、前記無線端末の最大送信可能電力の範囲内に収まる参照信号帯域幅を算出するステップと、前記基地局が、前記参照信号帯域幅を含む制御情報を前記無線端末へ送信するステップと、をさらに含むことを特徴とする。
【００１９】
本発明に係るコンピュータプログラムは、無線端末が基地局へ送信する参照信号の送信電力を制御する情報を生成する参照信号送信電力制御情報生成処理を行うためのコンピュータプログラムであって、参照信号の受信品質推定値を算出するステップと、参照信号の受信品質目標値に対する受信品質推定値の差を補正する参照信号送信電力オフセット値を算出するステップと、をコンピュータに実行させるためのコンピュータプログラムであることを特徴とする。
これにより、前述の参照信号送信電力制御情報生成装置がコンピュータを利用して実現できるようになる。
【発明の効果】
【００２０】
本発明によれば、ＳＲＳ送信電力を制御する際に、所望のＳＲＳ受信品質に調整することができるという効果が得られる。
【図面の簡単な説明】
【００２１】
【図１】本発明の一実施形態に係るＬＴＥシステムの構成を示す概念図である。
【図２】同実施形態に係るＬＴＥシステムの上りリンクの無線フレームの構成を示す図である。
【図３】図２に示す一サブフレームにおける無線リソースの構成を示す概念図である。
【図４】本発明の一実施形態に係るＳＲＳ送信電力制御方法の手順を示すフローチャートである。
【発明を実施するための形態】
【００２２】
以下、図面を参照し、本発明の実施形態について説明する。
図１は、本発明の一実施形態に係るＬＴＥシステムの構成を示す概念図である。図１において、基地局１００は無線端末２００と無線通信する。又、基地局１００はＯＡＭ（保守・運用）装置３００と接続されている。
【００２３】
基地局１００は、ＳＲＳ送信電力制御情報生成部１とＰＵＳＣＨ送信電力制御情報生成部２０と制御情報送信部３０を有する。ＳＲＳ送信電力制御情報生成部１は、無線端末２００が上りリンクで送信するＳＲＳの送信電力を制御する情報を生成する。ＰＵＳＣＨ送信電力制御情報生成部２０は、無線端末２００が上りリンクで送信するＰＵＳＣＨの信号の送信電力を制御する情報を生成する。制御情報送信部３０は、ＳＲＳ送信電力制御情報等の制御情報を下りリンクの制御チャネルで無線端末２００へ送信する。
【００２４】
図２は、本実施形態に係るＬＴＥシステムの上りリンクの無線フレームの構成を示す図である。図２において一無線フレーム（一フレーム長は１０ミリ秒）は、１０個のサブフレーム（一サブフレーム長は１ミリ秒）から構成される。図３は、図２に示す一サブフレームにおける無線リソースの構成を示す概念図である。図３に示されるように、一サブフレームにおける無線リソースは、一定の周波数帯域幅（サブキャリア数：Ｎ＿ＳＣ個）と一定の時間幅（ＯＦＤＭシンボル数：Ｎ＿ＯＦＤＭ個）を有するリソースブロック（ＲＢ）が、周波数方向にＮ＿ＲＢ個だけ連結されている。Ｎ＿ＲＢ個のＲＢ分の周波数帯域幅はシステム帯域幅に相当する。ＳＲＳ送信対象のＲＢにおいて、ＳＲＳは、図３に示されるようにサブフレーム内の時間的に最後のＯＦＤＭシンボルで送信される。
【００２５】
説明を図１に戻す。図１において、ＳＲＳ送信電力制御情報生成部１は、入力情報取得部２とＩｏＴ測定部３とＳＩＮＲ推定部４とＳＲＳ送信電力オフセット値算出部５とＳＲＳ帯域幅算出部６とＳＲＳ送信電力値算出部７とＳＲＳ送信電力値記憶部８を有する。以下、図４を参照して、図１に示すＳＲＳ送信電力制御情報生成部１の動作を詳細に説明する。
【００２６】
図４は、本実施形態に係るＳＲＳ送信電力制御方法の手順を示すフローチャートである。ＳＲＳ送信電力制御情報生成部１は、あるサブフレーム（ここでは、ｉ番サブフレームとする）のＳＲＳ送信電力制御タイミングになると、ＳＲＳ送信電力制御情報生成処理（図４のステップＳ１〜Ｓ７）を開始する。なお、説明の便宜上、以下では、１つの無線端末２００を対象として説明を行う。
【００２７】
図４において、ステップＳ１では、入力情報取得部２が、基地局１００の外部のＯＡＭ装置３００と基地局１００の内部のＰＵＳＣＨ送信電力制御情報生成部２０から、それぞれ入力情報を取得する。
【００２８】
入力情報取得部２がＯＡＭ装置３００から取得する入力情報は、ＳＩＮＲ（Signal to Interference and Noise power Ratio）の目標値（ＳＩＮＲ＿Ｒｅｑ）、無線端末２００の最大送信可能電力値（Ｐ＿ＭＡＸ）、ＳＲＳ帯域幅の選択可能な候補の組（以下、ＳＲＳ帯域幅集合と称する）及び雑音電力値（Ｎ）である。本実施形態では、ＳＲＳの受信品質を表す情報としてＳＩＮＲを使用する。最大送信可能電力値（Ｐ＿ＭＡＸ）は、無線端末２００が送信可能な最大の電力を表す。ＳＲＳ帯域幅集合としては、例えば、システム帯域幅が１０ＭＨｚ（４８ＲＢ分）である場合においてＳＲＳ帯域幅の候補が４、８、１２、１６、２４及び４８（単位はＲＢ）の６種類であるとき、集合「４、１２、２４、４８」や集合「４、８、１６、４８」などが挙げられる。
【００２９】
入力情報取得部２がＰＵＳＣＨ送信電力制御情報生成部２０から取得する入力情報は、無線端末２００のＰＵＳＣＨ送信電力のノミナル値（Ｐ＿Ｏ＿ＰＵＳＣＨ（ｊ））、無線端末２００と基地局１００間のパスロス値（ＰＬ）、パスロス値の補正係数（α）及び無線端末２００のＰＵＳＣＨ送信電力調整値（ｆ（ｉ））である。ＰＵＳＣＨ送信電力調整値（ｆ（ｉ））は、無線端末２００のｉ番サブフレームにおけるＰＵＳＣＨの送信電力調整値である。
【００３０】
次いで、ステップＳ２では、ＳＩＮＲ推定部４が、前回のＳＲＳ送信タイミング（ここでは、（ｉ−ｋ）番サブフレームとする（但し、ｋはＳＲＳ送信間隔に対応するサブフレーム数））で送信されたＳＲＳのＳＩＮＲ推定値（ＳＩＮＲ＿Ｅｓｔ（ｉ−ｋ））を、（２）式で算出する。
ＳＩＮＲ＿Ｅｓｔ（ｉ−ｋ）＝Ｐ＿ＳＲＳ（ｉ−ｋ）−ＰＬ−（ＩｏＴ＿Ａｖｇ＋Ｎ）      ・・・（２）
但し、Ｐ＿ＳＲＳ（ｉ−ｋ）は（ｉ−ｋ）番サブフレームにおけるＳＲＳ送信電力値である。ＩｏＴ＿Ａｖｇは、ＳＲＳに関する干渉対雑音比（Interference over Thermal：ＩｏＴ）の平均値である。
【００３１】
ＳＩＮＲ推定部４は、ＳＲＳ送信電力値記憶部８から（ｉ−ｋ）番サブフレームのＳＲＳ送信電力値（Ｐ＿ＳＲＳ（ｉ−ｋ））を読み出して、ＳＩＮＲ推定値（ＳＩＮＲ＿Ｅｓｔ（ｉ−ｋ））の算出に使用する。ＳＲＳ送信電力値記憶部８は、前回のＳＲＳ送信電力制御タイミング（（ｉ−ｋ）番サブフレームのＳＲＳ送信電力制御タイミング）におけるＳＲＳ送信電力制御情報生成処理で算出されたＳＲＳ送信電力値（Ｐ＿ＳＲＳ（ｉ−ｋ））を、次回のＳＲＳ送信電力制御タイミング（ｉ番サブフレームのＳＲＳ送信電力制御タイミング）におけるＳＲＳ送信電力制御情報生成処理用に保持する。
【００３２】
干渉対雑音比の平均値（ＩｏＴ＿Ａｖｇ）は、ＩｏＴ測定部３で測定される。ＳＩＮＲ推定部４は、ＩｏＴ測定部３から干渉対雑音比の平均値（ＩｏＴ＿Ａｖｇ）を受け取る。パスロス値（ＰＬ）及び雑音電力値（Ｎ）は、入力情報取得部２からＳＩＮＲ推定部４へ供給される。
【００３３】
次いで、ステップＳ３では、ＳＲＳ送信電力オフセット値算出部５が、平均化関数（Ｅ｛ｘ｝）を用いて、ＰＵＳＣＨ送信電力調整値（ｆ（ｉ））を平均化する。ＰＵＳＣＨ送信電力調整値（ｆ（ｉ））は、入力情報取得部２からＳＲＳ送信電力オフセット値算出部５へ供給される。平均化関数（Ｅ｛ｘ｝）は、変数ｘをＳＲＳの送信電力制御間隔（ｋ）において平均化する関数であり、事前に定義されてＳＲＳ送信電力オフセット値算出部５に具備される。これにより、ＳＲＳ送信電力オフセット値算出部５は、ＰＵＳＣＨ送信電力調整値（ｆ（ｉ））がＳＲＳ送信電力制御間隔（ｋ）において平均化された平均値（Ｅ｛ｆ（ｉ）｝）を得る。このとき、ＳＲＳ送信電力オフセット値算出部５は、平均値（Ｅ｛ｆ（ｉ）｝）を、次回のＳＲＳ送信電力制御タイミング（（ｉ＋ｋ）番サブフレームのＳＲＳ送信電力制御タイミング）におけるＳＲＳ送信電力制御情報生成処理用に内部メモリに保持する。
【００３４】
次いで、ステップＳ４では、ＳＲＳ送信電力オフセット値算出部５が、ｉ番サブフレームのＳＲＳ送信電力オフセット値（Ｐ＿ＳＲＳ＿ＯＦＦＳＥＴ（ｉ））を、（３）式で算出する。
Ｐ＿ＳＲＳ＿ＯＦＦＳＥＴ（ｉ）＝−Ｅ｛ｆ（ｉ）｝＋｛ＳＩＮＲ＿Ｒｅｑ−ＳＩＮＲ＿Ｅｓｔ（ｉ−ｋ）｝＋Ｐ＿ＳＲＳ＿ＯＦＦＳＥＴ（ｉ−ｋ）＋Ｅ｛ｆ（ｉ−ｋ）｝      ・・・（３）
【００３５】
（ｉ−ｋ）番サブフレームのＳＲＳ送信電力オフセット値（Ｐ＿ＳＲＳ＿ＯＦＦＳＥＴ（ｉ−ｋ））及び平均値（Ｅ｛ｆ（ｉ−ｋ）｝）は、前回のＳＲＳ送信電力制御タイミング（（ｉ−ｋ）番サブフレームのＳＲＳ送信電力制御タイミング）におけるＳＲＳ送信電力制御情報生成処理で算出されて、内部メモリで保持されたものである。ＳＲＳ送信電力オフセット値算出部５は、内部メモリからＳＲＳ送信電力オフセット値（Ｐ＿ＳＲＳ＿ＯＦＦＳＥＴ（ｉ−ｋ））及び平均値（Ｅ｛ｆ（ｉ−ｋ）｝）を読み出して、ＳＲＳ送信電力オフセット値（Ｐ＿ＳＲＳ＿ＯＦＦＳＥＴ（ｉ））の算出に用いる。
【００３６】
ＳＩＮＲ目標値（ＳＩＮＲ＿Ｒｅｑ）は、入力情報取得部２からＳＲＳ送信電力オフセット値算出部５へ供給される。ＳＩＮＲ推定値（ＳＩＮＲ＿Ｅｓｔ（ｉ−ｋ））は、ＳＩＮＲ推定部４からＳＲＳ送信電力オフセット値算出部５へ供給される。
【００３７】
上記（３）式によれば、ＳＲＳのＳＩＮＲ目標値（ＳＩＮＲ＿Ｒｅｑ）に対するＳＩＮＲ推定値（ＳＩＮＲ＿Ｅｓｔ（ｉ−ｋ））の差を補正するＳＲＳ送信電力オフセット値（Ｐ＿ＳＲＳ＿ＯＦＦＳＥＴ（ｉ））を算出している。さらに、上記（３）式によれば、ＰＵＳＣＨ送信電力調整値（ｆ（ｉ））を打ち消すＳＲＳ送信電力オフセット値（Ｐ＿ＳＲＳ＿ＯＦＦＳＥＴ（ｉ））を算出している。
【００３８】
なお、ＳＲＳ送信電力オフセット値算出部５は、ＳＲＳ送信電力オフセット値（Ｐ＿ＳＲＳ＿ＯＦＦＳＥＴ（ｉ））を、次回のＳＲＳ送信電力制御タイミング（（ｉ＋ｋ）番サブフレームのＳＲＳ送信電力制御タイミング）におけるＳＲＳ送信電力制御情報生成処理用に内部メモリに保持する。
【００３９】
次いで、ステップＳ５では、ＳＲＳ帯域幅算出部６が、ｉ番サブフレームのＳＲＳ帯域幅の上限値（Ｍ＿ｍａｘ）を、（４）式で算出する。
Ｍ＿ｍａｘ＝１０ｘ／１０
ｘ＝Ｐ＿ＭＡＸ−Ｐ＿ＳＲＳ＿ＯＦＦＳＥＴ（ｉ）−Ｐ＿Ｏ＿ＰＵＳＣＨ（ｊ）−α・ＰＬ−ｆ（ｉ）
・・・（４）
【００４０】
最大送信可能電力値（Ｐ＿ＭＡＸ）、ＰＵＳＣＨ送信電力ノミナル値（Ｐ＿Ｏ＿ＰＵＳＣＨ（ｊ））、パスロス値（ＰＬ）、パスロス値補正係数（α）及びＰＵＳＣＨ送信電力調整値（ｆ（ｉ））は、入力情報取得部２からＳＲＳ帯域幅算出部６へ供給される。ＳＲＳ送信電力オフセット値（Ｐ＿ＳＲＳ＿ＯＦＦＳＥＴ（ｉ））は、ＳＲＳ送信電力オフセット値算出部５からＳＲＳ帯域幅算出部６へ供給される。
【００４１】
次いで、ステップＳ６では、ＳＲＳ帯域幅算出部６が、ＳＲＳ帯域幅集合の中から、上限値（Ｍ＿ｍａｘ）を超えない最大のＳＲＳ帯域幅（Ｍ＿ＳＲＳ（ｉ））を選択する。この選択結果のＳＲＳ帯域幅（Ｍ＿ＳＲＳ（ｉ））は、ｉ番サブフレームのＳＲＳ帯域幅である。
【００４２】
次いで、ステップＳ７では、ＳＲＳ送信電力値算出部７が、ｉ番サブフレームのＳＲＳ送信電力値（Ｐ＿ＳＲＳ（ｉ））を、（５）式で算出する。この（５）式は、非特許文献２のＳＲＳ送信電力制御式（上記（１）式）に対応する。
Ｐ＿ＳＲＳ（ｉ）＝ｍｉｎ｛Ｐ＿ＭＡＸ，Ｐ＿ＳＲＳ＿ＯＦＦＳＥＴ（ｉ）＋１０ｌｏｇ１０（Ｍ＿ＳＲＳ（ｉ））＋Ｐ＿Ｏ＿ＰＵＳＣＨ（ｊ）＋α・ＰＬ＋ｆ（ｉ）｝      ・・・（５）
【００４３】
最大送信可能電力値（Ｐ＿ＭＡＸ）、ＰＵＳＣＨ送信電力ノミナル値（Ｐ＿Ｏ＿ＰＵＳＣＨ（ｊ））、パスロス値（ＰＬ）、パスロス値補正係数（α）及びＰＵＳＣＨ送信電力調整値（ｆ（ｉ））は、入力情報取得部２からＳＲＳ送信電力値算出部７へ供給される。ＳＲＳ送信電力オフセット値（Ｐ＿ＳＲＳ＿ＯＦＦＳＥＴ（ｉ））は、ＳＲＳ送信電力オフセット値算出部５からＳＲＳ送信電力値算出部７へ供給される。ＳＲＳ帯域幅（Ｍ＿ＳＲＳ（ｉ））は、ＳＲＳ帯域幅算出部６からＳＲＳ送信電力値算出部７へ供給される。
【００４４】
ＳＲＳ送信電力値算出部７は、算出結果のＳＲＳ送信電力値（Ｐ＿ＳＲＳ（ｉ））を、ＳＲＳ送信電力値記憶部８へ格納する。このＳＲＳ送信電力値記憶部８へ格納されたＳＲＳ送信電力値（Ｐ＿ＳＲＳ（ｉ））は、次回のＳＲＳ送信電力制御タイミング（（ｉ＋ｋ）番サブフレームのＳＲＳ送信電力制御タイミング）におけるＳＲＳ送信電力制御情報生成処理で使用される。
【００４５】
上記ステップＳ１〜Ｓ７のＳＲＳ送信電力制御情報生成処理によって、ｉ番サブフレームのＳＲＳ送信電力オフセット値（Ｐ＿ＳＲＳ＿ＯＦＦＳＥＴ（ｉ））とＳＲＳ帯域幅（Ｍ＿ＳＲＳ（ｉ））が生成された。これらＳＲＳ送信電力オフセット値（Ｐ＿ＳＲＳ＿ＯＦＦＳＥＴ（ｉ））及びＳＲＳ帯域幅（Ｍ＿ＳＲＳ（ｉ））は、ＳＲＳ送信電力制御情報生成部１から制御情報送信部３０へ送られる。
【００４６】
次いで、ステップＳ８では、制御情報送信部３０が、ＳＲＳ送信電力オフセット値（Ｐ＿ＳＲＳ＿ＯＦＦＳＥＴ（ｉ））及びＳＲＳ帯域幅（Ｍ＿ＳＲＳ（ｉ））等を含む制御情報を、下りリンクの制御チャネルで無線端末２００へ送信する。なお、制御情報送信部３０は、上記（５）式の計算に必要な情報の全てを無線端末２００へ送信する。
【００４７】
次いで、ステップＳ９では、無線端末２００が、基地局１００から受信した制御情報を用いて、上記（５）式により、ｉ番サブフレームのＳＲＳ送信電力値（Ｐ＿ＳＲＳ（ｉ））を算出する。そして、無線端末２００は、算出結果のＳＲＳ送信電力値（Ｐ＿ＳＲＳ（ｉ））に基づいて、ｉ番サブフレームのＳＲＳ送信電力を調整する。又、無線端末２００は、基地局１００から受信したＳＲＳ帯域幅（Ｍ＿ＳＲＳ（ｉ））を、ｉ番サブフレームのＳＲＳ帯域幅とする。
【００４８】
本実施形態によれば、ＳＲＳ送信電力を制御する際に、ＳＲＳ送信電力オフセット値（Ｐ＿ＳＲＳ＿ＯＦＦＳＥＴ（ｉ））によって、ＳＲＳのＳＩＮＲを目標値（ＳＩＮＲ＿Ｒｅｑ）に調整することができる。これにより、ＳＲＳのＳＩＮＲが、隣接セルに干渉を与えるほどに過剰品質になったり、或いは、周波数スケジューリングで要求される品質に不足したりすることを防止することが可能になる。
【００４９】
又、本実施形態によれば、ＳＲＳ送信電力値（Ｐ＿ＳＲＳ（ｉ））に適合するＳＲＳ帯域幅（Ｍ＿ＳＲＳ（ｉ））を決定することができる。これにより、ＳＲＳ送信電力を制御する際に、所望のＳＲＳ受信品質を満足しながら、ＳＲＳ帯域幅を適応的に制御することができるようになる。
【００５０】
又、本実施形態によれば、ＳＲＳ送信電力オフセット値（Ｐ＿ＳＲＳ＿ＯＦＦＳＥＴ（ｉ））によって、ＰＵＳＣＨ送信電力調整値（ｆ（ｉ））を打ち消すことができる。これにより、ＳＲＳ送信電力制御がＰＵＳＣＨ送信電力制御と連動することを防止することが可能になる。ＳＲＳ送信電力制御とＰＵＳＣＨ送信電力制御とはその方針が一致するとは限らないので、ＳＲＳ送信電力制御がＰＵＳＣＨ送信電力制御と連動することを回避することで、適切なＳＲＳ送信電力に制御することに寄与することができる。
【００５１】
又、本実施形態によれば、ＰＵＳＣＨ送信電力調整値（ｆ（ｉ））がＳＲＳ送信電力制御間隔（ｋ）において平均化された平均値（Ｅ｛ｆ（ｉ）｝）を打ち消すＳＲＳ送信電力オフセット値（Ｐ＿ＳＲＳ＿ＯＦＦＳＥＴ（ｉ））を算出することにより、ＳＲＳ送信電力制御間隔（ｋ）でのＳＲＳ送信電力制御においてＰＵＳＣＨ送信電力制御と連動することを防止することができる。これにより、ＳＲＳ送信電力制御間隔（ｋ）は任意に設定することができ、ＳＲＳ送信電力制御にかかる処理の負担が軽減される。例えば、非特許文献３に記載の従来のＳＲＳ送信電力制御方法では、サブフレーム（１ミリ秒）毎にＰＵＳＣＨ送信電力調整値（ｆ（ｉ））を打ち消す操作を行うために負担が大きいが、本実施形態によれば、その負担を軽減することが可能になる。
【００５２】
なお、図４に示す各ステップを実現するためのプログラムをコンピュータ読み取り可能な記録媒体に記録して、この記録媒体に記録されたプログラムをコンピュータシステムに読み込ませ、実行することにより、参照信号送信電力制御情報生成処理または参照信号送信電力制御処理を行ってもよい。なお、ここでいう「コンピュータシステム」とは、ＯＳや周辺機器等のハードウェアを含むものであってもよい。
また、「コンピュータ読み取り可能な記録媒体」とは、フレキシブルディスク、光磁気ディスク、ＲＯＭ、フラッシュメモリ等の書き込み可能な不揮発性メモリ、ＤＶＤ（Digital Versatile Disk）等の可搬媒体、コンピュータシステムに内蔵されるハードディスク等の記憶装置のことをいう。
【００５３】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００５４】
以上、本発明の実施形態について図面を参照して詳述してきたが、具体的な構成はこの実施形態に限られるものではなく、本発明の要旨を逸脱しない範囲の設計変更等も含まれる。
例えば、上述の実施形態では、基地局１００から無線端末２００へ、ＳＲＳ送信電力オフセット値（Ｐ＿ＳＲＳ＿ＯＦＦＳＥＴ（ｉ））及びＳＲＳ帯域幅（Ｍ＿ＳＲＳ（ｉ））等の制御情報を送って、無線端末２００でＳＲＳ送信電力値（Ｐ＿ＳＲＳ（ｉ））を算出したが、基地局１００から無線端末２００へＳＲＳ送信電力値（Ｐ＿ＳＲＳ（ｉ））を送信するようにしてもよい。そして、無線端末２００は、基地局１００から受信したＳＲＳ送信電力値（Ｐ＿ＳＲＳ（ｉ））に基づいて、ｉ番サブフレームのＳＲＳ送信電力を調整する。
【符号の説明】
【００５５】
１…ＳＲＳ送信電力制御情報生成部、２…入力情報取得部、３…ＩｏＴ測定部、４…ＳＩＮＲ推定部、５…ＳＲＳ送信電力オフセット値算出部、６…ＳＲＳ帯域幅算出部、７…ＳＲＳ送信電力値算出部、８…ＳＲＳ送信電力値記憶部、２０…ＰＵＳＣＨ送信電力制御情報生成部、３０…制御情報送信部、１００…基地局、２００…無線端末、３００…ＯＡＭ装置
【図１】
2011029770.tif 000003
【図２】
2011029770.tif 000004
【図３】
2011029770.tif 000005
【図４】
2011029770.tif 000006